(57)【要約】【課題】下り物理層制御チャネル（ＰＤＣＣＨ）用無線リソースの有効利用を図る。【解決手段】上り物理層データチャネル（ＰＵＳＣＨ）が割り当てられる予定の無線端末と、下り物理層データチャネル（ＰＤＳＣＨ）が割り当てられる予定の無線端末とを対象にして、ＰＤＣＣＨの割当順位を付けるステップ（Ｓ２）と、該割当順位に従って、一つ一つ無線端末に対するＰＤＣＣＨ用無線リソース（ＣＣＥ）の割り当て可否を判定するステップ（Ｓ１１）と、を含むことを特徴とする。【選択図】図３
2011041193.tif 000002
【特許請求の範囲】
【請求項１】
上り物理層データチャネル又は下り物理層データチャネルが割り当てられる予定の無線端末に対して、物理層データチャネル情報を伝達する下り物理層制御チャネルの割り当てを行う制御チャネル割当装置において、
上り物理層データチャネルが割り当てられる予定の無線端末と、下り物理層データチャネルが割り当てられる予定の無線端末とを対象にして、下り物理層制御チャネルの割当順位を付ける割当順位付与手段と、
前記割当順位に従って、一つ一つ前記無線端末に対する下り物理層制御チャネル用無線リソースの割り当て可否を判定する無線リソース割当判定手段と、
を備えたことを特徴とする制御チャネル割当装置。
【請求項２】
前記無線端末の受信品質推定値に基づいて、当該無線端末に所要の下り物理層制御チャネル用無線リソース量を判定する無線リソース量判定手段を備えたことを特徴とする請求項１に記載の制御チャネル割当装置。
【請求項３】
上り物理層データチャネル又は下り物理層データチャネルが割り当てられる予定の無線端末に対して、物理層データチャネル情報を伝達する下り物理層制御チャネルの割り当てを行う制御チャネル割当方法であって、
上り物理層データチャネルが割り当てられる予定の無線端末と、下り物理層データチャネルが割り当てられる予定の無線端末とを対象にして、下り物理層制御チャネルの割当順位を付けるステップと、
前記割当順位に従って、一つ一つ前記無線端末に対する下り物理層制御チャネル用無線リソースの割り当て可否を判定するステップと、
を含むことを特徴とする制御チャネル割当方法。
【請求項４】
上り物理層データチャネル又は下り物理層データチャネルが割り当てられる予定の無線端末に対して、物理層データチャネル情報を伝達する下り物理層制御チャネルの割り当てを行う制御チャネル割当処理を行うためのコンピュータプログラムであって、
上り物理層データチャネルが割り当てられる予定の無線端末と、下り物理層データチャネルが割り当てられる予定の無線端末とを対象にして、下り物理層制御チャネルの割当順位を付けるステップと、
前記割当順位に従って、一つ一つ前記無線端末に対する下り物理層制御チャネル用無線リソースの割り当て可否を判定するステップと、
をコンピュータに実行させるためのコンピュータプログラム。
【発明の詳細な説明】
【技術分野】
【０００１】
本発明は、制御チャネル割当装置、制御チャネル割当方法及びコンピュータプログラムに関する。
【背景技術】
【０００２】
近年、各標準化団体（例えば、３ＧＰＰ（3rd Generation Partnership Project）、３ＧＰＰ２（3rd Generation Partnership Project 2）、ＩＥＥＥ８０２．１６標準化団体など）で新しい無線通信システムの標準規格が検討されている。例えば、第３世代（３Ｇ）セルラシステムの後継システムとして、ＬＴＥ（Long Term Evolution：正式名称は「Evolved Universal Terrestrial Radio Access（Ｅ−ＵＴＲＡ）」である。非特許文献１、２参照）やＵＭＢ（Ultra Mobile Broadband）といった、次世代のセルラシステム（３．９Ｇセルラシステムとも呼ばれる）が検討されている。さらには、３．９Ｇセルラシステムの進化系である、ＩＭＴ−Ａｄｖａｎｃｅｄシステム（４Ｇセルラシステムとも呼ばれる）が検討されている。
【０００３】
それらの検討されている無線通信システムの中には、直交周波数分割多元接続（Orthogonal Frequency Division Multiple Access：ＯＦＤＭＡ）方式を採用するものがある。例えば、ＬＴＥ、ＵＭＢ、ＷｉＭＡＸ、さらには現在、４Ｇセルラシステム向けに検討されている、ＬＴＥ−ＡｄｖａｎｃｅｄやＩＥＥＥ８０２．１６ｍなどである。
【０００４】
ＯＦＤＭＡ方式を使用する無線通信システム（以下、ＯＦＤＭＡシステムと称する）では、利用可能な周波数帯域（以下、システム帯域と称する）内の複数のサブキャリアを移動端末に割り当てることができる。また、その割当内容は時間とともに変更することができる。したがって、一般的に、ＯＦＤＭＡシステムでは、周波数成分と時間成分から成る二次元的な無線リソースを用いて、柔軟に、無線リソースの割当を行うことができる。
【０００５】
ＬＴＥに準拠したＯＦＤＭＡシステム（以下、ＬＴＥシステムと称する）では、ＰＤＣＣＨ（Physical Downlink Control Channel）と呼ばれる下りリンク（基地局から端末へ向かう方向のリンク）の物理層の制御チャネル（以下、下り物理層制御チャネルと称する）を用いて、物理層のデータチャネルの情報を基地局から無線端末へ伝達する。上りリンク（端末から基地局へ向かう方向のリンク）の物理層のデータチャネル（以下、上り物理層データチャネルと称する）は、ＰＵＳＣＨ（Physical Uplink Shared Channel）と呼ばれる。下りリンクの物理層のデータチャネル（以下、下り物理層データチャネルと称する）は、ＰＤＳＣＨ（Physical Downlink Shared Channel）と呼ばれる。
【０００６】
ＬＴＥシステムにおいて、基地局は、ＰＵＳＣＨ又はＰＤＳＣＨを割り当てる予定の無線端末に対して、ＰＵＳＣＨ情報又はＰＤＳＣＨ情報を伝達するＰＤＣＣＨの割り当てを行う。ＰＤＣＣＨの割り当てでは、ＰＤＣＣＨ用無線リソースの割り当てが行われる。図４に、ＬＴＥシステムにおける下りリンクのサブフレーム構成を示す。図４に示されるように、下りリンクのサブフレーム（以下、下りサブフレームと称する）は、時間方向と周波数方向の２次元の無線リソース（時間方向に１４個のＯＦＤＭシンボルと周波数方向にシステム帯域幅）を有する。下りサブフレームは、時間方向で、ＰＤＣＣＨ領域とＰＤＳＣＨ領域に区分される。ＰＤＣＣＨ領域としては、時間方向の先頭から、ＯＦＤＭシンボルの１個分、２個分又は３個分のいずれかが確保される。なお、ＰＤＣＣＨ領域は、ＰＤＣＣＨ以外の他の下りリンク制御チャネル（ＰＣＦＩＣＨとＰＨＩＣＨ）にも使用される。
【０００７】
図５は、ＰＤＣＣＨ用無線リソースの割り当て方法を説明するための概念図である。ＰＤＣＣＨ用無線リソースは、ＣＣＥ（Control Channel Element）と呼ばれる無線リソース単位で割り当てられる。１個のＣＣＥは９個のＲＥＧ（Resource Element Group）から構成される。そして、図５に示すように、ＲＥＧ番号を付与する順番は時間方向が周波数方向よりも先である。一無線端末のＰＤＣＣＨに対して、ＣＣＥは１個、２個、４個又は８個が割り当てられる。このＣＣＥ数はアグリゲーションレベル（Aggregation Level）に相当する。例えば、アグリゲーションレベルが８のときは、無線端末に割り当てるＣＣＥ数は８である。また、ＬＴＥシステムでは、ある無線端末があるサブフレームで利用可能なＣＣＥの番号の集合は、該サブフレームの番号と該無線端末の番号によって一意に決まる。例えば、あるサブフレーム番号とある無線端末番号に対して、アグリゲーションレベルが４の場合のＣＣＥ番号の集合（ＣＣＥ数は４）は「１２、１３、１４、１５」と「１６、１７、１８、１９」の２通りの組合せが存在する。
【０００８】
ＰＤＣＣＨ信号は誤り訂正符号で符号化されるが、その符号化率は、当該ＰＤＣＣＨに割り当てるＣＣＥ数が多くなるほど小さくなるように定められている。符号化率はＰＤＣＣＨのペイロード長によって変化するが、例えば、ＰＤＣＣＨのペイロード長が４８の場合において、ＣＣＥ数が１のときの符号化率は２／３、ＣＣＥ数が２のときの符号化率は１／３、ＣＣＥ数が４のときの符号化率は１／６、ＣＣＥ数が８のときの符号化率は１／１２、と規定されている。
【０００９】
ＰＤＣＣＨ領域は、周波数方向の幅はシステム帯域幅で固定されるが、時間方向はＯＦＤＭシンボルの１個から３個分までの間で可変である。但し、ＰＤＣＣＨ領域においてＣＣＥを構成するＲＥＧの番号を付与する順番は時間方向が周波数方向よりも先であるために、事前に、ＰＤＣＣＨ用ＯＦＤＭシンボル数を確定しておく必要がある。図５の例では、ＰＤＣＣＨ用ＯＦＤＭシンボル数が３であり、ＯＦＤＭシンボルの３個分がＰＤＣＣＨ領域として確保されている。
【００１０】
無線端末は、ＰＤＣＣＨ用ＯＦＤＭシンボルに対してブラインド復号を行う。これは、無線端末に対して復号すべきＣＣＥ番号が通知されないことによる。無線端末がブラインド復号を行う範囲（ＣＣＥ番号の集合）は、サーチスペース（Search Space）と呼ばれる。サーチスペースを算出する計算式は規定されている。
【００１１】
ＬＴＥシステムでは、ＰＵＳＣＨ又はＰＤＳＣＨを割り当てる予定の無線端末に対してＰＤＣＣＨが割当てられないと、該無線端末にＰＵＳＣＨ情報又はＰＤＳＣＨ情報を伝達することができない。このため、例えば非特許文献３の従来技術では、ある下りサブフレームでＰＤＣＣＨを割り当てることができない場合、次の下りサブフレームでＰＤＣＣＨの割り当てを試みるようにしている。非特許文献４の従来技術では、ある下りサブフレームにおいて、無線端末に割り当てる十分なＰＤＣＣＨ用無線リソースが確保されていない場合、当該無線端末に対してＰＤＣＣＨを割り当てない。
【先行技術文献】
【非特許文献】
【００１２】
【非特許文献１】3GPP TS 36.211，“Evolved Universal Terrestrial Radio Access (E-UTRA); Physical Channels and Modulation (Release 8)”
【非特許文献２】3GPP TS 36.213，“Evolved Universal Terrestrial Radio Access (E-UTRA)； Physical layer procedures (Release 8)”
【非特許文献３】田中良紀、河崎義博、“Evolved UTRA下りリンク制御情報多重法とその特徴”、2008年電子情報通信学会ソサイエティ大会、BS-4-3、2008年9月
【非特許文献４】西尾昭彦、青山高久、Christain Wengerter、今村大地、鈴木秀俊、“3G-LTEにおける制御情報の適応送信技術”、Panasonic Technical Journal、Vol.55、No.1、４月号、2009年
【発明の概要】
【発明が解決しようとする課題】
【００１３】
上述したように、ＰＤＣＣＨが割り当てられないと、無線端末に割り当てる予定の物理層データチャネル（ＰＵＳＣＨ、ＰＤＳＣＨ）を使用することができないので、有限のＰＤＣＣＨ用無線リソースを如何に利用するのかが重要となる。
【００１４】
本発明は、このような事情を考慮してなされたもので、その目的は、下り物理層制御チャネル（ＰＤＣＣＨ）用無線リソースの有効利用を図ることのできる制御チャネル割当装置、制御チャネル割当方法及びコンピュータプログラムを提供することにある。
【課題を解決するための手段】
【００１５】
上記の課題を解決するために、本発明に係る制御チャネル割当装置は、上り物理層データチャネル又は下り物理層データチャネルが割り当てられる予定の無線端末に対して、物理層データチャネル情報を伝達する下り物理層制御チャネルの割り当てを行う制御チャネル割当装置において、上り物理層データチャネルが割り当てられる予定の無線端末と、下り物理層データチャネルが割り当てられる予定の無線端末とを対象にして、下り物理層制御チャネルの割当順位を付ける割当順位付与手段と、前記割当順位に従って、一つ一つ前記無線端末に対する下り物理層制御チャネル用無線リソースの割り当て可否を判定する無線リソース割当判定手段と、を備えたことを特徴とする。
【００１６】
本発明に係る制御チャネル割当装置においては、前記無線端末の受信品質推定値に基づいて、当該無線端末に所要の下り物理層制御チャネル用無線リソース量を判定する無線リソース量判定手段を備えたことを特徴とする。
【００１７】
本発明に係る制御チャネル割当方法は、上り物理層データチャネル又は下り物理層データチャネルが割り当てられる予定の無線端末に対して、物理層データチャネル情報を伝達する下り物理層制御チャネルの割り当てを行う制御チャネル割当方法であって、上り物理層データチャネルが割り当てられる予定の無線端末と、下り物理層データチャネルが割り当てられる予定の無線端末とを対象にして、下り物理層制御チャネルの割当順位を付けるステップと、前記割当順位に従って、一つ一つ前記無線端末に対する下り物理層制御チャネル用無線リソースの割り当て可否を判定するステップと、を含むことを特徴とする。
【００１８】
本発明に係るコンピュータプログラムは、上り物理層データチャネル又は下り物理層データチャネルが割り当てられる予定の無線端末に対して、物理層データチャネル情報を伝達する下り物理層制御チャネルの割り当てを行う制御チャネル割当処理を行うためのコンピュータプログラムであって、上り物理層データチャネルが割り当てられる予定の無線端末と、下り物理層データチャネルが割り当てられる予定の無線端末とを対象にして、下り物理層制御チャネルの割当順位を付けるステップと、前記割当順位に従って、一つ一つ前記無線端末に対する下り物理層制御チャネル用無線リソースの割り当て可否を判定するステップと、をコンピュータに実行させるためのコンピュータプログラムであることを特徴とする。
これにより、前述の制御チャネル割当装置がコンピュータを利用して実現できるようになる。
【発明の効果】
【００１９】
本発明によれば、下り物理層制御チャネル（ＰＤＣＣＨ）用無線リソースの有効利用を図ることができるという効果が得られる。
【図面の簡単な説明】
【００２０】
【図１】本発明の一実施形態に係るＬＴＥシステムの基地局１における物理層チャネル割当構成を示すブロック図である。
【図２】図１に示すＰＤＣＣＨ割当部１０の構成を示すブロック図である。
【図３】本発明の一実施形態に係る制御チャネル割当方法の手順を示すフローチャートである。
【図４】ＬＴＥシステムにおける下りリンクのサブフレーム構成を示す図である。
【図５】ＰＤＣＣＨ用無線リソースの割り当て方法を説明するための概念図である。
【発明を実施するための形態】
【００２１】
以下、図面を参照し、本発明の実施形態について説明する。
図１は、本発明の一実施形態に係るＬＴＥシステムの基地局１における物理層チャネル割当構成を示すブロック図である。図１において、基地局１は、ＰＤＣＣＨ（下り物理層制御チャネル）割当部１０とＰＤＳＣＨ（下り物理層データチャネル）割当部１１とＰＵＳＣＨ（上り物理層データチャネル）割当部１２を備える。
【００２２】
ＰＤＣＣＨ割当部１０は、ＰＵＳＣＨ又はＰＤＳＣＨが割り当てられる予定の無線端末に対して、ＰＵＳＣＨ情報又はＰＤＳＣＨ情報を伝達するＰＤＣＣＨの割り当てを行う。ＰＤＳＣＨ割当部１１は、無線端末に対するＰＤＳＣＨの割り当てを行う。ＰＵＳＣＨ割当部１２は、無線端末に対するＰＵＳＣＨの割り当てを行う。
【００２３】
ＰＤＳＣＨが割り当てられる予定の全無線端末の情報は、ＰＤＳＣＨ割当部１１からＰＤＣＣＨ割当部１０へ、ＣＣＥ割当判定情報として送られる。ＰＤＣＣＨ割当部１０は、ＰＤＳＣＨが割り当てられる予定の全無線端末に対するＰＤＣＣＨ割当の成否の情報を、ＣＣＥ割当成否情報としてＰＤＳＣＨ割当部１１へ返信する。
【００２４】
ＰＵＳＣＨが割り当てられる予定の全無線端末の情報は、ＰＵＳＣＨ割当部１２からＰＤＣＣＨ割当部１０へ、ＣＣＥ割当判定情報として送られる。ＰＤＣＣＨ割当部１０は、ＰＵＳＣＨが割り当てられる予定の全無線端末に対するＰＤＣＣＨ割当の成否の情報を、ＣＣＥ割当成否情報としてＰＵＳＣＨ割当部１２へ返信する。
【００２５】
図２は、図１に示すＰＤＣＣＨ割当部１０の構成を示すブロック図である。図２において、ＰＤＣＣＨ割当部１０は、入力情報取得部２１とアグリゲーションレベル決定部２２とＣＣＥ割当部２３とサーチスペース管理部２４と出力情報作成部２５を有する。
【００２６】
入力情報取得部２１は、ＰＤＣＣＨ割当部１０で使用する入力情報を取得する。アグリゲーションレベル決定部２２は、アグリゲーションレベルを決定する。アグリゲーションレベルは、一無線端末のＰＤＣＣＨに割り当てるＣＣＥ数（１個、２個、４個又は８個）及び符号化率（本実施形態ではＰＤＣＣＨのペイロード長が４８であるとし、２／３、１／３、１／６又は１／１２）を表す。アグリゲーションレベル（ｚ＝１）は「ＣＣＥ数＝１、符号化率＝２／３」に対応し、アグリゲーションレベル（ｚ＝２）は「ＣＣＥ数＝２、符号化率＝１／３」に対応し、アグリゲーションレベル（ｚ＝４）は「ＣＣＥ数＝４、符号化率＝１／６」に対応し、アグリゲーションレベル（ｚ＝８）は「ＣＣＥ数＝８、符号化率＝１／１２」に対応する。従って、アグリゲーションレベルによって、ある無線端末のＰＤＣＣＨに割り当てるＣＣＥ数と該ＰＤＣＣＨ用の符号化率が定まる。
【００２７】
ＣＣＥ割当部２３は、ＰＵＳＣＨ又はＰＤＳＣＨが割り当てられる予定の無線端末に対して、ＣＣＥの割り当てを行う。ＣＣＥの割り当てが成功した無線端末には、ＰＤＣＣＨが確保されたことになる。サーチスペース管理部２４は、サーチスペースの探索を行う。出力情報作成部２５は、ＣＣＥ割当成否情報を作成する。ＰＤＳＣＨ割当部１１へ返信されるＣＣＥ割当成否情報は、ＰＤＳＣＨが割り当てられる予定の全無線端末に対する、ＣＣＥの割り当ての成否の情報を有する。ＰＵＳＣＨ割当部１２へ返信されるＣＣＥ割当成否情報は、ＰＵＳＣＨが割り当てられる予定の全無線端末に対する、ＣＣＥの割り当ての成否の情報を有する。
【００２８】
次に、図３を参照して、図２に示すＰＤＣＣＨ割当部１０の動作を説明する。図３は、本実施形態に係る制御チャネル割当方法の手順を示すフローチャートである。
【００２９】
ＰＤＣＣＨ割当部１０は、ある下りサブフレームのＰＤＣＣＨ割当タイミングにおいて、ＰＤＳＣＨ割当部１１及びＰＵＳＣＨ割当部１２の両方からＣＣＥ割当判定情報を受け取った時点で、該下りサブフレームにおけるＰＤＣＣＨ割り当てを行う処理として図３の処理を開始する。
【００３０】
図３において、ステップＳ１では、入力情報取得部２１がＰＤＣＣＨ用ＯＦＤＭシンボル数を取得し、ＣＣＥ割当部２３が該ＰＤＣＣＨ用ＯＦＤＭシンボル数を用いてＣＣＥ上限量を設定する。ＰＤＣＣＨ用ＯＦＤＭシンボル数は、例えば、オペレータから指定される。ＣＣＥ上限量は、ＰＤＣＣＨ割当対象の下りサブフレームでＰＤＣＣＨ用に使用可能な無線リソース総量（ＰＤＣＣＨ用ＯＦＤＭシンボル数とシステム帯域幅で定まる無線リソース量）に相当するＣＣＥ数（つまり、図４に示されるＰＤＣＣＨ領域に含まれるＣＣＥ総数）から、他の下りリンク制御チャネル（ＰＣＦＩＣＨとＰＨＩＣＨ）で使用されるＣＣＥ数を引いた数である。
【００３１】
次いで、ステップＳ２では、ＣＣＥ割当部２３が、ＰＤＣＣＨ割当対象の無線端末（以下、割当対象端末と称する）の全てに対して、割当順位を付ける。ここで、割当順位を付与する対象となる全割当対象端末の集合は、ＰＤＳＣＨ割当部１１から受け取ったＣＣＥ割当判定情報で示される割当対象端末の全てと、ＰＵＳＣＨ割当部１２から受け取ったＣＣＥ割当判定情報で示される割当対象端末の全てとから成る。ＣＣＥ割当部２３は、各割当対象端末に対するＣＣＥ割当優先度に基づいて、各割当対象端末の割当順位を決定する。ＣＣＥ割当優先度が同じ割当対象端末に対しては、さらに各割当対象端末に対する端末優先度に基づいて各割当対象端末の割当順位を決定する。ＣＣＥ割当優先度及び端末優先度は、ＣＣＥ割当判定情報に含まれる。
【００３２】
ＣＣＥ割当優先度には、チャネル種別に関するものやパケット種別に関するものがある。チャネル種別に関するＣＣＥ割当優先度は、割当対象端末に割り当て予定の物理層データチャネル（ＰＵＳＣＨ又はＰＤＳＣＨ）で伝送予定である上位層（例えば、ＲＲＣ層）のチャネル、の種類（例えば、制御チャネルとデータチャネル）ごとの優先度である。パケット種別に関するＣＣＥ割当優先度は、割当対象端末に割り当て予定の物理層データチャネル（ＰＵＳＣＨ又はＰＤＳＣＨ）で伝送予定であるパケット、の種類（例えば、初送パケットと再送パケット）ごとの優先度である。端末優先度には、プロポーショナルフェアネスの評価関数値に基づくものや通信遅延等の通信品質に基づくものがある。
【００３３】
次いで、ステップＳ３では、ＣＣＥ割当部２３が、処理対象としてまだ選択されていない割当対象端末が残っているかを確認する。この結果、未選択の割当対象端末が残っている場合にはステップＳ４に進み、未選択の割当対象端末がない場合にはステップＳ５に進む。
【００３４】
ステップＳ４では、ＣＣＥ割当部２３が、割当可能なＣＣＥがまだ残っているかを確認する。この結果、割当可能なＣＣＥがまだ残っている場合にはステップＳ６に進み、割当可能なＣＣＥがない場合にはステップＳ５に進む。
【００３５】
ステップＳ５では、出力情報作成部２５が、ＣＣＥ割当成否情報を作成する。ＰＤＳＣＨ割当部１１へ返信されるＣＣＥ割当成否情報には、ＰＤＳＣＨが割り当てられる予定の全無線端末に対する、ＣＣＥ割り当ての成否の情報を含める。ＰＵＳＣＨ割当部１２へ返信されるＣＣＥ割当成否情報には、ＰＵＳＣＨが割り当てられる予定の全無線端末に対する、ＣＣＥ割り当ての成否の情報を含める。
【００３６】
ステップＳ６では、ＣＣＥ割当部２３が、割当順位に従って、割当対象端末を１つ選択する。この選択結果の割当対象端末のことを以下、選択端末と称する。ステップＳ７では、入力情報取得部２１が、選択端末のＳＩＮＲ（Signal to Interference and Noise power Ratio）推定値を取得する。ＳＩＮＲは、無線端末の受信品質を表す。
【００３７】
次いで、ステップＳ８では、アグリゲーションレベル決定部２２が、選択端末のＳＩＮＲ推定値とＳＩＮＲ基準値を比較する。ＳＩＮＲ基準値は、アグリゲーションレベルごとに設けられる。あるアグリゲーションレベルに対応するＳＩＮＲ基準値は、該アグリゲーションレベルで定まる符号化率によって、ある誤り率を達成することができるＳＩＮＲの閾値である。
【００３８】
アグリゲーションレベル（ｚ）を示すパラメータ（ｚ’）に対応するＳＩＮＲ基準値（ｚ’）は、次式の関係を有する。
ＳＩＮＲ基準値（ｚ’）＜ＳＩＮＲ基準値（ｚ’−１）
但し、ｚ’は１、２、３、４のいずれかである。「ｚ’＝１」は「ＣＣＥ数＝１」のアグリゲーションレベル（１）を示し、「ｚ’＝２」は「ＣＣＥ数＝２」のアグリゲーションレベル（２）を示し、「ｚ’＝３」は「ＣＣＥ数＝４」のアグリゲーションレベル（４）を示し、「ｚ’＝４」は「ＣＣＥ数＝８」のアグリゲーションレベル（８）を示す。従って、ＣＣＥ数が多くて符号化率が低いアグリゲーションレベルのＳＩＮＲ基準値の方が、小さい値である。
【００３９】
アグリゲーションレベル決定部２２は、選択端末のＳＩＮＲ推定値を各アグリゲーションレベルのＳＩＮＲ基準値と順次比較する。
【００４０】
次いで、ステップＳ９では、アグリゲーションレベル決定部２２が、ステップＳ８の比較結果に基づいて、選択端末のアグリゲーションレベルを判定する。このアグリゲーションレベルの判定は、ＳＩＮＲ推定値が、どのアグリゲーションレベルのＳＩＮＲ基準値とどのアグリゲーションレベルのＳＩＮＲ基準値の間にあるのかを判定することで行う。具体的には、「ＳＩＮＲ基準値（ｚ’）≦ＳＩＮＲ推定値＜ＳＩＮＲ基準値（ｚ’−１）」を満足する場合に、ＳＩＮＲ基準値（ｚ’）のアグリゲーションレベル（ｚ）を選択端末に適用する（但し、ＳＩＮＲ基準値（０）はない）。
【００４１】
次いで、ステップＳ１０では、サーチスペース管理部２４が、選択端末に対応するサーチスペースにおいて、選択端末のアグリゲーションレベル（ｚ）のＣＣＥ数分の空きのＣＣＥがあるかを探索する。この探索の結果、該ＣＣＥ数分の空きのＣＣＥがある場合には（ステップＳ１１、ＹＥＳ）、ステップＳ１２に進む。
【００４２】
ステップＳ１２では、ＣＣＥ割当部２３が、ステップＳ１０で発見された、選択端末のアグリゲーションレベル（ｚ）のＣＣＥ数分の空きのＣＣＥを、選択端末に割り当てる。このとき、選択端末のアグリゲーションレベル（ｚ）のＣＣＥ数よりも多いＣＣＥの空きがある場合には、サーチスペースの先頭ＣＣＥ番号からアグリゲーションレベル（ｚ）分のＣＣＥ数を単位として、無作為に選択する。この後、ステップＳ１３で割当対象端末から選択端末を除外し、ステップＳ３に戻る。この場合、選択端末に対するＣＣＥ割当は成功であり、ＰＤＣＣＨ割当可となる。
【００４３】
一方、ステップＳ１０のサーチスペースの探索の結果、選択端末のアグリゲーションレベル（ｚ）のＣＣＥ数分の空きのＣＣＥがない場合には（ステップＳ１１、ＮＯ）、ＣＣＥ割当部２３は選択端末にＣＣＥを割り当てず、ステップＳ１３で割当対象端末から選択端末を除外し、ステップＳ３に戻る。この場合、選択端末に対するＣＣＥ割当は失敗であり、ＰＤＣＣＨ割当不可となる。
【００４４】
上述したように本実施形態によれば、ＰＵＳＣＨが割り当てられる予定の無線端末と、ＰＤＳＣＨが割り当てられる予定の無線端末とを対象にしてＰＤＣＣＨの割当順位を付け、この割当順位に従って、一つ一つ該無線端末に対するＣＣＥ割当の可否を判定する。これにより、ＰＵＳＣＨの割当候補端末とＰＤＳＣＨの割当候補端末を総合した優先順位でＣＣＥ割当の可否が判断されるので、有限のＰＤＣＣＨ用無線リソースの有効利用に寄与することができるようになる。
【００４５】
又、本実施形態によれば、ＰＤＣＣＨ割当対象端末のＳＩＮＲ推定値に基づいてアグリゲーションレベル（つまり、所要ＣＣＥ数）を判定する。これにより、ＰＤＣＣＨ割当対象端末に所要のＣＣＥ数を適切に決定することができ、有限のＰＤＣＣＨ用無線リソースの有効利用をより一層図ることが可能となる。
【００４６】
なお、図３に示す各ステップを実現するためのプログラムをコンピュータ読み取り可能な記録媒体に記録して、この記録媒体に記録されたプログラムをコンピュータシステムに読み込ませ、実行することにより、制御チャネル割当処理を行ってもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００４７】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４８】
以上、本発明の実施形態について図面を参照して詳述してきたが、具体的な構成はこの実施形態に限られるものではなく、本発明の要旨を逸脱しない範囲の設計変更等も含まれる。
例えば、図３に示す制御チャネル割当方法において、ＳＩＮＲ基準値は、「PDCCH DCI format」ごとに設けるようにしてもよい。「PDCCH DCI format」は、無線端末に送信するパケットの種別を表すフォーマット番号である。
【００４９】
なお、無線端末の受信品質を表す情報として、上述の実施形態ではＳＩＮＲを用いたが、ＳＩＮＲ以外の情報を用いるようにしてもよい。
【符号の説明】
【００５０】
１０…ＰＤＣＣＨ割当部、２１…入力情報取得部、２２…アグリゲーションレベル決定部、２３…ＣＣＥ割当部、２４…サーチスペース管理部、２５…出力情報作成部
【図１】
2011041193.tif 000003
【図２】
2011041193.tif 000004
【図３】
2011041193.tif 000005
【図４】
2011041193.tif 000006
【図５】
2011041193.tif 000007